(57)【特許請求の範囲】
【請求項１】
（ａ）合成樹脂製又は合成ゴム製の固定台部と、（ｂ）基部が顎部に埋入され又は支台歯に被着された台部に固着された嵌合固定部或いは支台歯に被着された金属製の歯冠補綴具の台部と一体に形成された１乃至複数本の軸部の各々の他端部に一体に形成された嵌合部が、着脱自在に嵌入され前記固定台部の先端面で開口して終端部が閉塞し、長さが前記嵌合固定部又は前記嵌合部の高さよりも長めに形成された空洞部を有する凹状嵌合部と、を備えた有床義歯固定具を、埋入孔に接着剤で仮固定し前記接着剤が硬化しないうちに顎部に装着するとともに咬合させて、前記凹状嵌合部に前記嵌合固定部又は前記嵌合部を嵌合させた状態で前記接着剤を硬化させることにより、前記凹状嵌合部に嵌入された前記嵌合固定部又は前記嵌合部が、咬合時には前記空洞部の終端に当接し未咬合時には前記空洞部内で嵌入孔部側に移動自在な深さに埋入固定した義歯床を備えていることを特徴とする有床義歯。
【発明の詳細な説明】
【０００１】
【発明の属する技術分野】
本発明は、有床義歯に関するものである。
【０００２】
【従来の技術】
従来より、１歯あるいはそれ以上の歯が欠損した場合に用いられる有床義歯には、有床義歯が動いたり外れたりするのを防ぐための種々の維持装置が用いられている。
例えば、金属製で形成された鉤で天然歯等の鉤歯を抱きこむようにして維持する維持装置（以下、イ号装置という）が用いられている。
【０００３】
他の技術としては、特開平６−３１９７５０号公報（以下、ロ号公報という）に「嵌合部を有し顎骨の抜歯窩又は新たに切削した窩洞に植立された凸状維持部材と、有床義歯の義歯床に配設され嵌合部が嵌入する凹状嵌合部を有する凹状維持部材と、を備えた有床義歯の維持装置」が開示されている。
【０００４】
特開２００１−１７００８１号公報（以下、ハ号公報という）には、「ａ．歯根等に固着される固着部を備えたメールと、ｂ．ハウジング部材と、ライダー部と、を備えたフィメールと、を備えた有床義歯アタッチメント」が開示されている。
【０００５】
【発明が解決しようとする課題】
しかしながら上記従来の技術においては、以下のような課題を有していた。
（１）イ号装置は、鉤が鉤歯の表面に露出し、特に鉤歯が切歯や小臼歯等の場合には口元で鉤が目立つので、審美性に欠けるという課題を有していた。
（２）有床義歯の義歯床や粘膜の沈下、横揺れ等により、鉤が抱き込んでいる鉤歯に側方からの力が加圧され、鉤歯が動揺したり抜歯されたりすることがあるという課題を有していた。天然歯の歯根を支える歯槽骨や歯根膜は垂直方向の力に対してはある程度の強さが認められるが、側方からの力に対しては比較的もろいからである。
（３）ロ号公報に開示の技術は、凸状維持部材を顎骨の抜歯窩又は新たに切削した窩洞に植立する必要があり、大掛かりな治療を要するとともに患者のコスト負担も大きいという課題を有していた。
（４）凸状維持部材の形状に制約が生じるので、術者（歯科医師や歯科技工士）の創意応用の入り込む余地が少なく適応症例が限られるという課題を有していた。
（５）ハ号公報に開示の技術は、固着部を鋳接等によって金属冠等に固着するので、固着強度が問題になり耐久性が低下し易く、さらに固着位置に制約が生じ術者の創意応用の入り込む余地が少なく適応症例が限られるという課題を有していた。
（６）固着部を鋳接等によって金属冠等に固着するので、表面に陶材が焼付で形成される金属冠を用い固着部の材質と金属冠の材質とが異なる場合には、陶材の焼付の際に金属冠と固着部との間の熱膨脹差によって歪みが生じ、固着部の固着強度が低下し耐久性に欠けるという課題を有していた。
（７）ハウジング部を有しているので、ハウジング部とライダー部との間の細かな隙間に食べ物のカス等が詰まり易く、口臭や炎症等の原因となり易いという課題を有していた。
（８）イ号装置乃至ハ号公報に開示の技術は、有床義歯の着脱を鉤の鉤歯への着脱やスナップによって行うものであり、有床義歯の維持力の制御は術者の経験や勘によって行われているため、維持力が大きすぎて有床義歯の脱着が困難となったり維持力が小さすぎて容易に脱着されるという問題が発生するという課題を有していた。
（９）ロ号公報又はハ号公報に開示の技術は、有床義歯を装着したときに義歯床と口内の粘膜が密着しているため、粘膜に圧迫感を感じ装着感が悪いという課題を有していた。
【０００６】
本発明は上記従来の課題を解決するもので、口内への着脱が容易であるとともに清潔性と外観に優れ、さらに義歯床が口内の粘膜を圧迫して患者に不快感を与えることがなく快適な装着感が得られる有床義歯を提供することを目的とする。
【０００７】
上記従来の課題を解決するために本発明の有床義歯は、以下の構成を有している。
【０００８】
本発明の請求項１に記載の有床義歯は、（ａ）合成樹脂製又は合成ゴム製の固定台部と、（ｂ）基部が顎部に埋入され又は支台歯に被着された台部に固着された嵌合固定部或いは支台歯に被着された金属製の歯冠補綴具の台部と一体に形成された１乃至複数本の軸部の各々の他端部に一体に形成された嵌合部が、着脱自在に嵌入され前記固定台部の先端面で開口して終端部が閉塞し、長さが前記嵌合固定部又は前記嵌合部の高さよりも長めに形成された空洞部を有する凹状嵌合部と、を備えた有床義歯固定具を、埋入孔に接着剤で仮固定し前記接着剤が硬化しないうちに顎部に装着するとともに咬合させて、前記凹状嵌合部に前記嵌合固定部又は前記嵌合部を嵌合させた状態で前記接着剤を硬化させることにより、前記凹状嵌合部に嵌入された前記嵌合固定部又は前記嵌合部が、咬合時には前記空洞部の終端に当接し未咬合時には前記空洞部内で嵌入孔部側に移動自在な深さに埋入固定した義歯床を備えた構成を有している。
この構成により、以下のような作用が得られる。
（１）有床義歯固定具の固定台部が合成樹脂製や合成ゴム製で形成され弾性を有しているので、凹状嵌合部への嵌合部等の着脱時や咬合時に凹状嵌合部が変形し、着脱を容易にするとともに咬合による垂直運動及び水平運動を緩衝し安定性を高めることができ、さらに凹状嵌合部の内壁の切削が容易で維持力の最適化が容易である。
（２）口内に固定された嵌合部や嵌合固定部と着脱自在な有床義歯固定具が埋入固定された義歯床を備えているので、口内への着脱が容易である。
（３）有床義歯固定具が義歯床に埋入固定され継ぎ目がなく部品点数も少ないので、口臭や炎症等の原因となる食べ物のカス等が詰まり難く清潔性に優れる。
（４）有床義歯固定具が義歯床に埋入固定されているので、口内に装着すると口内に固定された嵌合部や嵌合固定部が義歯床に隠れ外観に優れる。
（５）義歯床は容易に加工できるので、有床義歯固定具の弾性等が劣化し違和感を生じ装着性が低下した場合は、義歯床や接着剤を切削して古い有床義歯固定具だけを取り出し新しいものと交換することができ、義歯床全体を新たに作り直すコストと手間を要さず患者への負担が小さい。
（６）口内に固定された嵌合固定部や嵌合部が未咬合時には空洞部内で移動自在な深さに有床義歯固定具が義歯床に埋入固定されているので、義歯床が口内の粘膜を圧迫して患者に不快感を与えることがなく快適な装着感が得られる。
【０００９】
ここで、固定台部の形状としては、角柱状、円筒状、截頭角錐状、截頭円錐状やそれらを組み合わせたもの等の種々の形状が用いられる。特に、截頭角錐状、截頭円錐状等のように先端面に向かって幅狭に形成すると、レジン等の接着剤を用いて義歯床に埋入した際に抜け止め力が働き、維持力が高まるため好ましい。さらに、固定台部の外側面に嵌合部等が凹状嵌合部に着脱する方向と略直交する凹溝を形成すると、義歯床に埋入した際に凹溝にレジン等の接着剤が食い込み、義歯床から固定台部が脱落し難く維持力がより高まるため好ましい。
支台歯としては、天然歯、顎部に埋入された人工歯根等が用いられる。支台歯が天然歯の場合には、台部の被着し易い形状に所定部を削っておくと好ましい。これにより、歯冠補綴具の被着安定性を高め、落ち着きをよくしたり動揺するのを防止することができる。
【００１０】
歯冠補綴具が、支台歯に被着された金属製の台部と、基部が前記台部と一体に形成された１乃至複数本の軸部と、前記軸部の各々の他端部に一体に形成された嵌合部と、を備えた構成を有している場合、支台歯に被着される台部、軸部、嵌合部が一体に形成されるので、術者の創意応用によって自在な形状に形成することができ自在性に優れ、そのため種々の症例に適用可能である。また、支台歯に被着される台部、軸部、嵌合部が金属製で一体に形成されるので、機械的強度が大きく耐久性に優れる。
台部としては、支台歯を覆って元の歯の形状に近づけるように金属製で形成した冠，冠の表面全体や一部に陶材やレジン等を付着させた前装冠等の金属冠、複数の金属冠に橋架されたブリッジ、根面を覆うように形成された根面板、金属冠やブリッジ等から延設された延設板等が用いられる。
台部等が形成される金属材料としては、２０Ｋ白金加金等の金合金、金−パラジウム−銀合金等の銀合金、ニッケル−クロム合金、コバルト−クロム合金、チタン合金、金系，パラジウム系，ニッケル系等の陶材焼付用合金（ポーセレンメタル）等の機械的強度が大きく化学的に安定した材料が用いられる。
【００１１】
嵌合固定部としては、球状，半球状，砲弾状，半球状や砲弾状と円筒状を組み合わせた形状等の先端側に膨出面を有する種々の形状に形成され凹状嵌合部に嵌入される頭部を備えたもの（例えば、特開２００１−１７００８１号、特開昭５８−９２３４８号公報に記載のもの）が用いられ、必要に応じて頭部に固着又は一体形成されたネック部を備えたものも用いることができる。
嵌合部の形状としては、球状，半球状，砲弾状，半球状や砲弾状と円筒状を組み合わせた形状等の先端側に膨出面を有する種々の形状が用いられる。特に、嵌合部が球状に形成されていると、嵌合部の着脱を容易にするともに維持力の制御が容易で自由度が高く、さらに顎の咬合運動の際に発生する垂直方向や水平方向の力を均一に分散させることができるとともに、粘膜の沈下等によって回転方向に働く力を嵌合部が支点となって回動して緩衝することができるので好適に用いられる。
【００１２】
軸部としては、円筒状，円柱状，角柱状等の形状に形成され、嵌合部の外径より細く形成されたものが用いられる。これにより、嵌合部を確実に嵌合させることができるとともに、嵌合部の外径や形状によって脱着時の維持力を容易に制御することができ好ましい。
軸部は台部の立設面に対して直交して形成される。
凹状嵌合部としては、固定台部の内部に形成され嵌合部又は嵌合固定部が収納される空洞部と、空洞部と連通して固定台部の先端面で開口する嵌入孔部と、を備えたものが用いられる。
有床義歯固定具が埋入固定される所定部としては、口内に固定された嵌合部や嵌合固定部に対応する位置が用いられる。嵌合部等に対応する位置であれば、有床義歯固定具は義歯床の１乃至複数箇所に固定することができる。
有床義歯固定具の義歯床への固定方法としては、嵌合部や嵌合固定部に対応する義歯床の位置に有床義歯固定具の外形よりもやや大きめの埋入用孔部を形成し、次いで有床義歯固定具を埋入用孔部に挿入した後レジン等の接着剤を使用して埋入用孔部と有床義歯固定具との隙間を充填し固定するのが好ましい。嵌合部や嵌合固定部と有床義歯固定具との位置関係を確認しながら、義歯床の正確な位置に有床義歯固定具を固定できるからである。
凹状嵌合部が備える空洞部としては、長さが嵌合固定部又は嵌合部の厚みよりも長く形成される。また、空洞部の長手方向と略直交する断面形状が、嵌合固定部又は嵌合部の断面形状と略同一に形成され嵌合固定部又は嵌合部が移動自在にされる。
固定台部の材質としては、ポリエチレン，ポリプロピレン，ポリ塩化ビニル，ポリカーボネート，メタクリル樹脂，ＥＰＤＭやポリウレタン系等の熱可塑性エラストマー，アクリル樹脂，シリコーン樹脂，シリコーンゴム等の弾性を有する合成樹脂製や合成ゴム製が用いられる。
【００１４】
ここで、有床義歯固定具が、（ａ）合成樹脂製や合成ゴム製の固定台部と、（ｂ）基部が顎部に埋入され又は支台歯に被着された台部に固着された嵌合固定部又は請求項１に記載の嵌合部が、着脱自在に嵌入される前記固定台部に形成された凹状嵌合部と、（ｃ）前記凹状嵌合部と同心状に前記固定台部の先端面に付され前記凹状嵌合部に嵌入される前記嵌合固定部又は前記嵌合部の脱着時の維持力の目安となる維持力表示部と、を備えた構成を有している場合、維持力表示部を目安にして術者が症例に応じて現場で凹状嵌合部の内径を大きくして維持力を最適に調整することができ、自在性に優れるとともに容易に装着性を高めることができる。
【００１５】
空洞部としては、内径が嵌合部等の外径と略同一の大きさに形成され、深さが嵌合部等の厚みと略同一かそれ以上の大きさに形成される。空洞部を嵌合部等の厚み以上の深さに形成すると、空洞部内で嵌合部等を移動自在にすることができ、有床義歯固定具が固定された有床義歯の義歯床が食物を咀嚼するとき等に沈み込むのに対応させることができ、また、未咬合時には義歯床を口内の粘膜から離して保持することができる等自在性が高まるため好ましい。
嵌入孔部としては、内径が嵌合部等の外径よりも小さく形成されたものが用いられる。これにより、嵌合部等の脱着時には、嵌入孔部の開口縁部が嵌合部等が容易に脱着されるのを防止し維持力が発生する。
【００１６】
維持力表示部としては、凹状嵌合部の外周の固定台部の先端面に同心状に１乃至複数の線状，点状，模様状等の表示が印刷、刻印、若しくは凸状や溝状に形成、又は描画等して付されたものが用いられる。
空洞部の内径を固定台部の先端面に投影して得られる維持力表示部は維持力０ｇの目安となり、維持力表示部の表示位置を嵌入孔部に近づけるにつれて大きな維持力の目安にすることができる。嵌入孔部を内径が大きくなるように切削するにつれて、嵌合部等が容易に脱着し維持力が小さくなるからである。従って、凹状嵌合部に嵌入された嵌合部等を脱着するときの維持力と嵌入孔部の内径の大きさとの関係を調べることにより、維持力表示部の位置の設定を容易に行うことができる。
なお、維持力表示部が表示する維持力の範囲としては、０〜５００ｇが好適に用いられる。健全な鉤歯（支台歯）１歯当りの維持力の負担能力は３５０〜５００ｇとされているからである、
【００１８】
請求項１に記載の有床義歯に用いられる有床義歯固定具は、前記凹状嵌合部が前記固定台部の先端面で開口して複数形成され、前記固定台部の前記先端面の前記凹状嵌合部間に形成され前記固定台部の外側面で開口するスリット部を備えた構成を有している。
この構成により、以下のような作用が得られる。
（１）固定台部の先端面で開口する凹状嵌合部が複数形成されているので、複数の嵌合部等を凹状嵌合部に嵌入して固定することができ、安定性をより高めることができる。
（２）スリット部が形成された凹状嵌合部間の固定台部は薄く、また合成樹脂製や合成ゴム製で形成した場合は、スリット部で固定台部を容易に切り離すことができ、術者が現場で症例に応じて１乃至複数の凹状嵌合部を有する有床義歯固定具を作成することができ自在性に優れる。
（３）スリット部は固定台部の外側面で開口しているので、義歯床に埋入する場合、レジン等の接着剤がスリット部内にも充填されてアンカー効果が付与され、抜け止め力が働き維持力を高めることができる。
【００１９】
ここで、スリット部としては、固定台部の高さに対し１／３〜９／１０好ましくは１／２〜４／５の深さで形成されると好ましい。スリット部の深さが固定台部の高さに対し１／２より小さくなるにつれ切断し難くなるとともにスリット傾向がみられ、４／５より大きくなるにつれスリット部の形成された固定台部の機械的強度が小さく破損し易くなる傾向がみられるため好ましくない。特に、スリット部の深さが固定台部の高さに対し１／３より小さくなるか９／１０より大きくなると、これらの傾向が著しくなるためいずれも好ましくない。
なお、スリット部の内壁面を傾斜させて固定台部の基部に向かって幅狭に形成すると、固定台部を切り離した場合でも、義歯床に埋入した際にレジン等の接着剤で抜け止め力が働き維持力が高まるため好ましい。さらに、スリット部の内壁面に凹状嵌合部と略直交する凹溝を形成すると、義歯床に埋入した際に凹溝に接着剤が食い込み維持力がより高まるため好ましい。
固定台部、凹状嵌合部は請求項２で説明したものと同様のものなので、説明を省略する。
【００２０】
また、有床義歯固定具は、前記固定台部が、前記凹状嵌合部と連通し前記固定台部の前記先端面及び外側面で開口する溝部を備えた構成を有している。
この構成により、以下のような作用が得られる。
（１）歯冠補綴具等の軸部やネック部等を溝部に位置する状態にして、軸部等を溝部に通過させつつ嵌合部等を凹状嵌合部に嵌入することができるので、口内や支台歯に様々な角度で固定された嵌合部等と有床義歯固定具とを自在に着脱することができ自在性に優れる。
【００２１】
ここで、溝部の長さ（固定台部の外側面から凹状嵌合部までの距離）としては、軸部やネック部の長さよりやや短めか略同一に形成される。これにより、軸部やネック部を溝部に通過させて嵌合部等を凹状嵌合部に確実に嵌入させることができる。
溝部の幅としては、軸部やネック部の太さと同一乃至嵌合部や嵌合固定部の外径よりも小さな幅に形成することができる。これにより、凹状嵌合部に嵌入された嵌合部や嵌合固定部が溝部から脱着することなく安定して凹状嵌合部内に保持されるとともに、嵌合部等の脱着時の維持力が凹状嵌合部の大きさのみに依存するので維持力の制御が容易である。
【００２２】
また、有床義歯固定具は、前記固定台部が、前記凹状嵌合部が開口する前記先端面に形成された嵌入孔部及び／又は前記溝部の、外表面を拡径するガイド部を備えた構成を有している。
この構成により、以下のような作用が得られる。
（１）凹状嵌合部は嵌入孔部の内径が嵌合部や嵌合固定部の外径より小さく形成されているので嵌入し難いが、ガイド部を有しているので、嵌合部等を凹状嵌合部や溝部へ容易に嵌入させることができ、有床義歯固定具が固定された有床義歯を口内へ容易に装着させることができる。
【００２３】
ここで、ガイド部としては、固定台部の先端面に形成された嵌入孔部や溝部の開口縁部の角部を除去するようにすり鉢状等に形成された傾斜面が用いられる。
【００２４】
【００２５】
【００２６】
【００２７】
【００２８】
歯冠補綴具の製造方法は、支台歯の印象をとり陽型を作成する陽型作成工程と、前記陽型作成工程で作成された陽型上に前記支台歯に被着される台部の型を蝋で作成した後、蝋製嵌合部が固着又は一体形成された蝋製軸部を前記型の所定部に固着し補綴型を作成する補綴型作成工程と、前記補綴型作成工程で作成された前記補綴型を埋没材に埋没させて鋳型を作成する鋳型作成工程と、前記鋳型作成工程で作成された前記鋳型に溶融金属を注入する鋳造工程と、を備えた構成を有している。
この構成により、以下のような作用が得られる。
（１）補綴型作成工程を有しているので、台部の所望する位置に角度、大きさ、数量等を任意に選択して軸部及び嵌合部を形成することができ設計の自由度が大きく、症例に応じ術者の創意応用を十分に生かすことができ自在性に優れる。
（２）鋳造工程を有しているので、歯冠補綴具を金属製で一体に形成することができ機械的強度に優れる。
（３）歯冠補綴具を作成する従来の設備や材料等をそのまま用いることができるとともに、台部，軸部及び嵌合部を蝋製で作成するので、設備負荷を要しないとともにコスト性に優れる。
【００２９】
【発明の実施の形態】
以下、本発明の一実施の形態を、図面を参照しながら説明する。
（実施の形態１）
図１は実施の形態１における有床義歯に用いられる歯冠補綴具が支台歯に被着された状態を示す要部断面図であり、図２は実施の形態１における有床義歯に用いられる有床義歯固定具の要部断面図及び底面図であり、図３は有床義歯固定具の埋入固定された有床義歯が歯冠補綴具に固定された状態を示す要部断面図である。
図１において、１は実施の形態１における有床義歯に用いられる歯冠補綴具、２は顎骨や歯肉、粘膜等からなり天然歯が植立する顎部、３は顎部２に植立する大臼歯等の天然歯からなる支台歯、４は２０Ｋ白金加金等の金合金、金−パラジウム−銀合金等の銀合金等の金属製で略平板状に形成され天然歯の歯冠を切削して形成された支台歯３の根面と歯髄腔に被着された根面板からなる台部、４’は台部４の咬合方向と直交して平面状に形成され軸部が立設される立設面、５は基部が台部４と一体に立設面４’に形成され支台歯３の植立方向と略平行に立設された円柱状等の柱状軸部、６は軸部５の他端部と一体に形成され外径が軸部５の外径よりも大きく形成された球状の嵌合部である。
【００３０】
図２において、１０は実施の形態１における有床義歯に用いられる有床義歯固定具、１１は基部が略正方形状の略直方状と先端面１１´に向かって幅狭の截頭四角錐状とが組み合わされてポリエチレン，ポリプロピレン等の合成樹脂製等で形成された固定台部、１２は固定台部１１の先端面１１´に形成された凹状嵌合部、１３は円柱状に形成された凹状嵌合部１２の空洞部、１４は筒状空洞部１３が閉塞し半球状に形成された空洞部１３の終端部、１５は空洞部１３と連通して固定台部１１の先端面１１´で開口する円形状に形成された凹状嵌合部１２の嵌入孔部、１６は空洞部１３の一端が縮径して嵌入孔部１５を形成する凹状嵌合部１２の開口縁部、１７は凹状嵌合部１２の嵌入孔部１５と同心円状に固定台部１１に溝状で線状に付された維持力表示部である。１７ａは空洞部１３の内径を固定台部１１に投影して得られた維持力０ｇの目安となる維持力表示部、１７ｂは嵌入孔部１５と維持力表示部１７ａとの略中間部に付された維持力表示部である。本実施の形態においては、空洞部１３，嵌入孔部１５，開口縁部１６を有する凹状嵌合部１２に、歯冠補綴具１の嵌合部６を嵌合したときの維持力が約５００ｇになるように固定台部１１の材質、開口縁部１６の厚み、嵌入孔部１５の内径の大きさ等が設定されており、維持力表示部１７ｂは維持力が約３５０ｇになるように設定されている。維持力表示部１７は空洞部１３の内径を最大径とし、球状の嵌合部６の軸部５を最小径としてその間を等分に１乃至数個円を描いて表示したもので、最大径で維持力が０、最小径で最大、その間の１乃至数個の円で維持力を表現したもの、であればよい。１８は固定台部１１の基部側の外側面に全周にわたって断面が矩形溝状に形成された凹溝である。
【００３１】
図３において、２０は実施の形態１における有床義歯、２１は人工歯（図示しない）が植立され床用レジン等で形成された義歯床、２２は義歯床２１に有床義歯固定具１０の固定台部１１よりもやや大きめの矩形状に穿設された埋入孔、２３は埋入孔２２に埋入された有床義歯固定具１０を固定する埋入孔２２に充填されたレジン等の接着剤である。
本実施の形態においては、有床義歯固定具１０の凹状嵌合部１２の深さ（固定台部１１の先端から終端部１４までの距離）は、歯冠補綴具１の軸部５の基部から嵌合部６の先端までの高さ（ｌ1）と同一かやや深めに形成されており、有床義歯固定具１０の空洞部１３の長さ（ｌ2）は、歯冠補綴具１の嵌合部６の高さ（ｌ3）よりも長めに形成されている。また、有床義歯固定具１０は、義歯床２１の表面が顎部２に当接したときに、有床義歯固定具１０の先端面１１´が歯冠補綴具１の台部４に当接するような深さで義歯床２１に埋入固定されている。
【００３２】
以上のように構成された本実施の形態１の有床義歯に用いられる歯冠補綴具及び有床義歯固定具について、以下その使用方法を説明する。
まず、所定部を切削して適当な形状に加工した支台歯３に歯冠補綴具１の台部４を歯科用セメント等で被着する。歯冠補綴具１は１乃至複数箇所に被着することができる。次いで、支台歯３に被着された歯冠補綴具１と略対応する位置に埋入孔２２を有床義歯固定具１０の高さよりもやや深く形成し、埋入孔２２の底部にレジン等の接着剤を少量塗布する。次いで、埋入孔２２に塗布した接着剤の上に有床義歯固定具１０を置いて有床義歯固定具１０を埋入孔２２に仮固定した後、接着剤が硬化しないうちに有床義歯２０を患者の口内の顎部２に装着するとともに咬合させて、有床義歯固定具１０の凹状嵌合部１２に歯冠補綴具１の嵌合部６を嵌合させる。埋入孔２２に塗布した接着剤２３が硬化して有床義歯固定具１０が埋入孔２２に完全に固定された後、咬合するのをやめて有床義歯固定具１０の凹状嵌合部１２から歯冠補綴具１の嵌合部６を脱着して有床義歯２０を患者の口内の顎部２から取り外す。次いで、埋入孔２２と有床義歯固定具１０の固定台部１１との隙間にレジン等の接着剤２３を充填し硬化させ、有床義歯固定具１０を義歯床２１に形成された埋入孔２２に完全に埋入固定する。
有床義歯２０の維持力は、固定台部１１に付された維持力表示部１７ａ，１７ｂを目安に、患者の症例に応じ歯科用研削器等を用いて開口縁部１６を切削して嵌入孔部１５の内径を大きくすることで調整する。この維持力の調整は、有床義歯固定具１０を義歯床２１に固定した後、固定する前のいずれでも行うことができる。
【００３３】
以上のように本実施の形態１の有床義歯及びそれに用いられる有床義歯固定具は構成されているので、以下のような作用が得られる。
（１）歯冠補綴具は、支台歯に被着される台部、軸部、嵌合部が一体に形成されるので、術者の創意応用によって自在な形状に形成することができ自在性に優れ、そのため種々の症例に適用可能である。
（２）歯冠補綴具は、支台歯に被着される台部、軸部、嵌合部が金属製で一体に形成されるので、機械的強度が大きく耐久性に優れる。
（３）有床義歯固定具が維持力表示部を有しているので、維持力表示部を目安にして術者が症例に応じて現場で凹状嵌合部の内径を大きくして維持力を最適に調整することができ、自在性に優れるとともに容易に装着性を高めることができる。
（４）有床義歯固定具の固定台部が合成樹脂や合成ゴムで形成され弾性を有しているので、凹状嵌合部への嵌合部等の着脱時や咬合時に凹状嵌合部が変形し、着脱を容易にするとともに咬合による垂直運動及び水平運動を緩衝し安定性を高めることができ、さらに凹状嵌合部の内壁の切削が容易で維持力の最適化が容易である。
（５）有床義歯固定具の固定台部が先端面に向かって幅狭に形成されているので、レジン等の接着剤を用いて義歯床に埋入した際に抜け止め力が働き、維持力を高めることができる。
（６）有床義歯固定具の固定台部の外側面に嵌合部等が凹状嵌合部に着脱する方向と略直交する凹溝が形成されているので、義歯床に埋入した際に凹溝にレジン等の接着剤が食い込み、義歯床から固定台部が脱落し難く維持力をより高めることができる。
（７）有床義歯固定具の凹状嵌合部の深さ（固定台部の先端面から終端部までの距離）は、歯冠補綴具の軸部の基部から嵌合部の先端までの高さ（ｌ1）と同一かやや深めに形成されており、空洞部の長さ（ｌ2）は、歯冠補綴具の嵌合部の高さ（ｌ3）よりも長めに形成されており、さらに、有床義歯固定具は、義歯床の表面が顎部に当接したときに、有床義歯固定具の先端面が歯冠補綴具の台部に当接するような深さで義歯床に埋入固定されているので、未咬合時には空洞部内で嵌合部が移動自在になり、有床義歯の義歯床が口内の粘膜を圧迫して患者に不快感を与えることがなく快適な装着感が得られる。
（８）有床義歯の義歯床に歯冠補綴具の嵌合部と着脱自在な有床義歯固定具が埋入固定されているので、口内への着脱が容易である。
（９）有床義歯は、有床義歯固定具が義歯床に埋入固定され継ぎ目がなく部品点数も少ないので、口臭や炎症等の原因となる食べ物のカス等が詰まり難く清潔性に優れる。
（１０）有床義歯は、有床義歯固定具が義歯床に埋入固定されているので、口内に装着すると口内に固定された嵌合部や嵌合固定部が義歯床に隠れ外観に優れる。
（１１）有床義歯の義歯床は容易に加工できるので、有床義歯固定具の弾性等が劣化し装着性が低下した場合は、接着剤や義歯床を切削して古い有床義歯固定具だけを取り出し新しいものと交換することができ、義歯床全体を新たに作り直すコストと手間を要さず患者への負担が小さい。
【００３４】
なお、本実施の形態においては、支台歯３が天然歯である場合について説明したが、顎部２に埋入された人工歯根等の場合も同様である。また、有床義歯固定具１０は、支台歯３に被着された台部４を有する歯冠補綴具１の嵌合部６が嵌合される場合について説明したが、基部が顎部２に埋入され又は支台歯３に被着された台部に固着された嵌合固定部を嵌合することもできる。この場合も同様の作用が得られる。
【００３５】
次に、有床義歯に用いられる歯冠補綴具の製造方法について、図面を参照しながら説明する。
図４は実施の形態１における有床義歯に用いられる歯冠補綴具を製造する補綴型作成工程を説明する補綴型の要部断面図であり、図５は歯冠補綴具を製造する鋳造工程を説明する要部断面図である。なお、図１乃至図３で説明したものと同様のものは、同じ符号を付して説明を省略する。
図４において、３０は歯冠補綴具１の補綴型、３１は支台歯３の印象をとり作成された陽型、３２は陽型３１上に蝋で形成された蝋製台部、３３は蝋製台部３２の所定部に形成された軸装着用凹部、３４は蝋で形成され軸装着用凹部３３に固着された蝋製軸基部、３５は蝋製軸基部３４と一体に形成された蝋製軸部、３６は蝋製軸部３５と一体の球状に形成された蝋製嵌合部である。
図５において、４０は歯冠補綴具１の耐熱性を有する埋没材４０ａに補綴型３０が埋没された鋳型、４１は湯道４２に２０Ｋ白金加金等の金合金、金−パラジウム−銀合金等の銀合金等の溶融金属を導くために形成された湯口、４２は補綴型３０の収納部と連通して形成された湯道である。
【００３６】
陽型作成工程において、図４に示すように、支台歯３の印象をとり陽型３１を作成する。次いで、補綴型作成工程において、陽型３１上に支台歯３に被着される台部４の蝋製台部３２を作成した後、蝋製嵌合部３６が一体形成された蝋製軸部３５の蝋製軸基部３４を軸装着用凹部３３に固着し補綴型３０を作成する。
次いで、鋳型作成工程において、図５に示すように、補綴型３０を埋没材４０ａに埋没させるとともに湯道４２と湯口４１とを作成し、補綴型３０が埋没された鋳型４０を作成する。次に、鋳型４０を加熱炉内で補綴型３０を形成している蝋が焼失する温度以上に昇温して、補綴型３０に相当する空洞を鋳型４０内に形成する。
次いで、鋳造工程において、遠心鋳造や真空加圧鋳造等の方法を用いて湯口４１から溶融金属を注ぎ、鋳型４０に埋没された補綴型３０に相当する空洞に金属で形成された歯冠補綴具１を作成する。
【００３７】
以上のように本実施の形態の有床義歯に用いる歯冠補綴具の製造方法は構成されているので、以下のような作用が得られる。
（１）補綴型作成工程を有しているので、台部の所望する位置に角度、大きさ、数量等を任意に選択して軸部及び嵌合部を形成することができ設計の自由度が大きく、症例に応じ術者の創意応用を十分に生かすことができ自在性に優れる。
（２）鋳造工程を有しているので、歯冠補綴具を金属製で一体に形成することができ機械的強度に優れる。
（３）歯冠補綴具を作成する従来の設備や材料等をそのまま用いることができるとともに、台部，軸部及び嵌合部を蝋製で作成するので、設備負荷を要しないとともにコスト性に優れる。
【００３８】
（実施の形態２）
図６は実施の形態２における有床義歯に用いられる歯冠補綴具が支台歯に被着された状態を示す要部断面図であり、図７（ａ）は実施の形態２における有床義歯に用いられる有床義歯固定具の正面図であり、図７（ｂ）は実施の形態２における有床義歯に用いられる有床義歯固定具の要部側面図及び底面図であり、図８は有床義歯固定具が埋入固定された有床義歯が歯冠補綴具に固定された状態を示す要部断面図である。なお、実施の形態１で説明したものと同様のものは、同様の符号を付して説明を省略する。
図６，図８において、１ａは実施の形態２における有床義歯に用いられる歯冠補綴具、４ａは２０Ｋ白金加金等の金合金、金−パラジウム−銀合金等の銀合金等の金属製で冠状に形成され前歯や小臼歯等の天然歯の歯冠の一部を切削して形成された支台歯３に被着された金属冠からなる台部、４ｂは台部４ａの側面に咬合方向と略平行する平面状に形成された当接平面、５ａは基部が当接平面４ｂと一体に形成され当接平面４ｂと略直交して立設された円柱状の軸部である。
【００３９】
図２，図７，図８において、１０ａは実施の形態２における有床義歯に用いられる有床義歯固定具、１１ａはポリエチレン，ポリプロピレン等の合成樹脂製等で形成された固定台部である。固定台部１１ａは、溝部４３（後述する）側に向かって幅狭の略直方体状に形成された基台部１９ａと、截頭四角錐状に形成された先端部１９ｂとを組み合わせた形状を有しており、先端部１９ｂは凹状嵌合部１２の上部側に相当する位置で開始されている。４３は凹状嵌合部１２の空洞部１３と連通し固定台部１１ａの先端面１１ａ´及び一の外側面で開口し軸部５ａの外径よりも幅広に形成された溝部、４４は開口縁部１６を残して嵌入孔部１５を拡径するすり鉢状に先端面１１ａ´に形成されたガイド部、４４ａは溝部４３の固定台部１１ａの先端面１１ａ´における開口部を拡径(軸部５ａをガイド）する軸部ガイド部である。
本実施の形態においては、有床義歯固定具１０ａの空洞部１３の長さ（ｌ4）は、歯冠補綴具１ａの嵌合部６の高さ（ｌ5）よりも長めに形成されており、有床義歯固定具１０ａは、義歯床２１の表面が顎部２又は歯冠補綴具１ａの台部４ａに当接したときに、歯冠補綴具１ａの嵌合部６が凹状嵌合部１２の終端部１４に当接するような深さで義歯床２１に埋入固定されている。また、有床義歯固定具１０ａの基台部１９ａが歯冠補綴具１ａの台部４ａの当接平面４ｂに当接し、先端部１９ｂの壁面が台部４ａと角度αに相当する隙間を形成するように埋入固定されている。αとしては０．５°〜４５°好ましくは１〜３０°の角度とされる。角度が１°よりも小さくなるにつれ自由度が減少し、また３０°よりも大きくなるにつれガタツキを生じ易くなる傾向があり、特に０．５°未満もしくは４５°よりも大きいとこの傾向が著しい。尚、本実施の形態では５°〜１２°に形成した。
【００４０】
以上のように構成された本実施の形態２の有床義歯に用いられる歯冠補綴具及び有床義歯固定具の使用方法は、実施の形態１で説明したものとほぼ同様のものなので、説明を省略する。
以上のように構成された実施の形態２における有床義歯に用いられる歯冠補綴具が実施の形態１と異なる点は、軸部５ａが支台歯３の植立方向と略直交して立設されている点である。また、本実施の形態２における有床義歯に用いられる有床義歯固定具が実施の形態１と異なる点は、凹状嵌合部１２と連通し固定台部１１ａの先端面１１ａ´及び外側面で開口する溝部４３が形成されている点、先端面１１ａ´に開口縁部１６を残して嵌入孔部１５及び溝部４３を拡径するガイド部４４，軸部ガイド部４４ａが形成されている点である。また、本実施の形態２における有床義歯が実施の形態１と異なる点は、有床義歯固定具１０ａの基台部１９ａが歯冠補綴具１ａの台部４ａの当接平面４ｂに当接し、先端部１９ｂの壁面が当接平面４ｂと角度αに相当する隙間を形成するように埋入固定されている点である。
【００４１】
以上のように本実施の形態２の有床義歯及びそれに用いられる有床義歯固定具は構成されているので、実施の形態１で得られる作用に加え、以下のような作用が得られる。
（１）有床義歯固定具が溝部を有しているので、歯冠補綴具の軸部を溝部に位置する状態にして、軸部を溝部に通過させつつ嵌合部を凹状嵌合部に嵌入することができるので、口内や支台歯に様々な角度で固定された嵌合部と有床義歯固定具とを自在に着脱することができ自在性に優れる。
（２）有床義歯固定具がガイド部や溝部ガイド部を有しているので、嵌合部等を凹状嵌合部や溝部へ容易に嵌入させることができ、有床義歯固定具が固定された有床義歯を口内へ容易に装着させることができる。
（３）有床義歯固定具の固定台部が基台部と凹状嵌合部の上部側に相当する位置から幅狭に形成された先端部とを有しており、先端部の壁面が当接平面と角度αに相当する隙間を形成するように埋入固定されているので、咬合時の顎部の粘膜の沈下等によって有床義歯が回動しようとするのを、角度αに相当する隙間の分だけ嵌合部を支点として凹状嵌合部が回動して妨げないので、違和感なく咬合できるとともに歯冠補綴具が被着された支台歯には横方向の力が加圧され難く支台歯が動揺したり抜歯されたりするのを防止することができる。
（４）有床義歯固定具の基台部が歯冠補綴具の台部の当接平面に当接するように有床義歯に埋入固定されているので、粘着性を有する食物を咬合したとき等に義歯床が顎部の粘膜から離れる方向に回動しようとするのを台部が阻止し安定性に優れる。
（５）有床義歯固定具の固定台部の基台部が溝部に向かって幅狭に形成されているとともに、先端部も幅狭に形成されているので、レジン等の接着剤を用いて義歯床に埋入した際に抜け止め力が働き、維持力を高めることができる。
（６）有床義歯固定具の空洞部の長さ（ｌ4）は、歯冠補綴具の嵌合部の高さ（ｌ5）よりも長めに形成されており、有床義歯固定具は、義歯床の表面が顎部又は歯冠補綴具の台部に当接したときに、歯冠補綴具の嵌合部が凹状嵌合部の終端部に当接するような深さで義歯床に埋入固定されているので、未咬合時には空洞部内で嵌合部が移動自在になり、有床義歯の義歯床が口内の粘膜を圧迫して患者に不快感を与えることがなく快適な装着感が得られる。
【００４２】
なお、本実施の形態においては、台部４の当接平面４ｂが咬合方向と略平行する平面状に形成された場合について説明したが、症例によっては当接平面４ｂを咬合方向と略平行以外の種々の角度を有するように形成する場合もある。また、有床義歯固定具に嵌合されるものとして、嵌合部が一体形成された歯冠補綴具を用いる場合について説明したが、基部が顎部に埋入され又は支台歯に被着された台部に固着された嵌合固定部を有し市販等されているものを用いることもできる。
【００４３】
（実施の形態３）
図９は実施の形態３における有床義歯に用いられる歯冠補綴具の要部断面図であり、図１０は実施の形態３の他の応用例を示す歯冠補綴具の要部断面図であり、図１１は実施の形態３における有床義歯に用いられる有床義歯固定具の要部断面図であり、図１２は実施の形態３における有床義歯に用いられる歯冠補綴具が支台歯に被着された顎部の要部模式図であり、図１３は実施の形態３における有床義歯に用いられる有床義歯と歯冠補綴具との嵌合の様子を示す要部断面模式図である。なお、実施の形態１で説明したものと同様のものは、同様の符号を付して説明を省略する。
図９において、１ｂは実施の形態３における有床義歯に用いられる歯冠補綴具、５ｂは基部が台部４と一体に形成され支台歯３の植立方向と略平行に複数立設された円柱状の軸部である。
図１０において、１ｃは実施の形態３の他の応用例である歯冠補綴具、４ｃは支台歯３に被着された金属冠と金属冠から板状に延出した延設部とからなる台部、５ｃは基部が台部４ｃと一体に形成され支台歯３の植立方向と略平行に複数立設された円柱状の軸部である。台部４ｃが延設部を有しているので台部を大きくすることができ、支台歯３が外径の小さな側切歯等の場合に軸部５ｃを複数立設させるような場合に適している。
図１１において、１０ｂは実施の形態３における有床義歯に用いられる有床義歯固定具、１１ｂは基部が略長方形状に形成された基台部１９ｃと先端面１１ｂ´に向かう截頭四角錐状に形成された先端部１９ｄとがポリエチレン，ポリプロピレン等の合成樹脂製等で一体に形成された固定台部、１２ａは固定台部１１ｂの先端面１１ｂ´に複数形成された凹状嵌合部、４５は凹状嵌合部１２ａ間の先端面１１ｂ´に固定台部１１ｂの高さに対し１／３〜９／１０の深さで形成され固定台部１１ｂの外側面で開口しているスリット部、４６は固定台部１１ｂの基部に向かって幅狭に傾斜して形成されたスリット部４５の内壁面、４７は固定台部１１ｂの外側面及び内壁面４６の全周にわたって固定台部１１ｂの基部側に矩形溝状に形成された凹溝である。
図１２、図１３において、４８は顎部としての上顎部であり、上顎部４８に植立する大臼歯等の支台歯３に歯冠補綴具１ｂが被着されている。なお、本実施の形態においては、歯冠補綴具１ｂが、２つの嵌合部６，６を結ぶ線が上顎部４８の対向する隆起部４８ａに向いて支台歯３に被着されている。４９は上顎部４８に装着された有床義歯であり、上顎部４８の歯冠補綴具１ｂに対応する義歯床４９ａの所定位置に有床義歯固定具１０ｂが埋入固定されている。
【００４４】
以上のように構成された本実施の形態３の有床義歯及びそれに用いられる有床義歯固定具の使用方法は、実施の形態１で説明したものとほぼ同様のものなので、説明を省略する。
以上のように構成された実施の形態３における有床義歯に用いられる歯冠補綴具が実施の形態１と異なる点は、軸部が台部に複数立設されている点である。また、本実施の形態３における有床義歯に用いられる有床義歯固定具が実施の形態１と異なる点は、軸部が嵌合される凹状嵌合部が複数形成されている点と、凹状嵌合部１２ａ間の先端面１１ｂ´に固定台部１１ｂの外側面で開口するスリット部４５が形成されている点である。
【００４５】
以上のように本実施の形態３の有床義歯及びそれに用いられる有床義歯固定具は構成されているので、実施の形態１で得られる作用に加え、以下のような作用が得られる。
（１）有床義歯固定具の固定台部の先端面で開口する凹状嵌合部が複数形成されているので、複数の嵌合部等を凹状嵌合部に嵌入して固定することができ、安定性をより高めることができる。
（２）歯冠補綴具の２つの嵌合部を結ぶ線が上顎部の対向する隆起部に向いて支台歯に被着されているとともに、歯冠補綴具に対応する有床義歯の義歯床の所定位置に複数の凹状嵌合部が形成された有床義歯固定具が埋入固定されているので、安定性が高められ、咬合時に働く回転方向の力（図１３の矢印方向に働く力）によって歯冠補綴具が固定されていない顎部の隆起部から義歯床が離れ易くなるのを防止することができ安定性に優れる。
（３）有床義歯固定具のスリット部が形成された凹状嵌合部間の固定台部は薄く、また弾性材料で形成されているので、スリット部で固定台部を容易に切り離すことができ、術者が現場で症例に応じて１乃至複数の凹状嵌合部を有する有床義歯固定具を作成することができ自在性に優れる。
（４）有床義歯固定具のスリット部は固定台部の外側面で開口しているので、義歯床に埋入する場合、レジン等の接着剤がスリット部内にも充填されてアンカー効果が付与され、抜け止め力が働き維持力が高められる。
（５）有床義歯固定具のスリット部が、固定台部の高さに対し１／３〜９／１０の深さで形成されているので、切断し易く、かつ、スリット部の形成された固定台部の機械的強度が大きく破損し難い。
【００４６】
なお、本実施の形態においては、顎部に１つの歯冠補綴具が配設固定された場合について説明したが、患者の症例に応じて複数の歯冠補綴具を配設固定する場合もある。また、有床義歯固定具に溝部が形成される場合もある。
【００４７】
【発明の効果】
以上のように、本発明の有床義歯によれば、以下のような有利な効果が得られる。
請求項１に記載の発明によれば、
（１）有床義歯固定具の固定台部が合成樹脂製や合成ゴム製で形成され弾性を有しているので、凹状嵌合部への嵌合部等の着脱時や咬合時に凹状嵌合部が変形し、着脱を容易にするとともに咬合による垂直運動及び水平運動を緩衝し安定性を高めることができ、さらに凹状嵌合部の内壁の切削が容易で維持力の最適化が容易な有床義歯を提供することができる。
（２）口内に固定された嵌合部や嵌合固定部と着脱自在な有床義歯固定具が埋入固定された義歯床を備えているので、口内への着脱が容易な有床義歯を提供することができる。
（３）有床義歯固定具が義歯床に埋入固定され継ぎ目がなく部品点数も少ないので、口臭や炎症等の原因となる食べ物のカス等が詰まり難く清潔性に優れた有床義歯を提供することができる。
（４）有床義歯固定具が義歯床に埋入固定されているので、口内に装着すると口内に固定された嵌合部や嵌合固定部が義歯床に隠れ外観に優れた有床義歯を提供することができる。
（５）義歯床は容易に加工できるので、有床義歯固定具の弾性等が劣化し装着性が低下した場合は、義歯床や接着剤を切削して古い有床義歯固定具だけを取り出し新しいものと交換することができ、義歯床全体を新たに作り直すコストと手間を要さず患者への負担が小さな有床義歯を提供することができる。
（６）口内に固定された嵌合固定部や嵌合部が未咬合時には空洞部内で移動自在な深さに有床義歯固定具が義歯床に埋入固定されているので、義歯床が口内の粘膜を圧迫して患者に不快感を与えることがなく快適な装着感が得られる有床義歯を提供することができる。
【００５２】
【００５３】
【００５４】
【図面の簡単な説明】
【図１】  実施の形態１における有床義歯に用いられる歯冠補綴具が支台歯に被着された状態を示す要部断面図
【図２】  実施の形態１における有床義歯に用いられる有床義歯固定具の要部断面図及び底面図
【図３】  有床義歯固定具の埋入固定された有床義歯が歯冠補綴具に固定された状態を示す要部断面図
【図４】  実施の形態１における有床義歯に用いられる歯冠補綴具を製造する補綴型作成工程を説明する要部断面図
【図５】  歯冠補綴具を製造する鋳造工程を説明する鋳型の要部断面図
【図６】  実施の形態２における有床義歯に用いられる歯冠補綴具が支台歯に被着された状態を示す要部断面図
【図７】（ａ）  実施の形態２における有床義歯に用いられる有床義歯固定具の正面図
（ｂ）  実施の形態２における有床義歯に用いられる有床義歯固定具の要部側面断面図及び底面図
【図８】  有床義歯固定具が埋入固定された有床義歯が歯冠補綴具に固定された状態を示す要部断面図
【図９】  実施の形態３における有床義歯に用いられる歯冠補綴具の要部断面図
【図１０】  実施の形態３の他の応用例を示す歯冠補綴具の要部断面図
【図１１】  実施の形態３における有床義歯に用いられる有床義歯固定具の要部断面図
【図１２】  実施の形態３における有床義歯に用いられる歯冠補綴具が支台歯に被着された顎部の要部模式図
【図１３】  実施の形態３における有床義歯に用いられる有床義歯と歯冠補綴具との嵌合の様子を示す要部断面模式図
【符号の説明】
１，１ａ，１ｂ，１ｃ  歯冠補綴具
２  顎部
３  支台歯
４，４ａ，４ｃ  台部
４ｂ  当接平面
４’  立設面
５，５ａ，５ｂ，５ｃ  軸部
６  嵌合部
１０，１０ａ，１０ｂ  有床義歯固定具
１１，１１ａ，１１ｂ  固定台部
１１´，１１ａ´，１１ｂ´  先端面
１２，１２ａ  凹状嵌合部
１３  空洞部
１４  終端部
１５  嵌入孔部
１６  開口縁部
１７，１７ａ，１７ｂ  維持力表示部
１８，１８ａ  凹溝
１９ａ，１９ｃ  基台部
１９ｂ，１９ｄ  先端部
２０  有床義歯
２１  義歯床
２２  埋入孔
２３  接着剤
３０  補綴型
３１  陽型
３２  蝋製台部
３３  軸装着用凹部
３４  蝋製軸基部
３５  蝋製軸部
３６  蝋製嵌合部
４０  鋳型
４０ａ  埋没材
４１  湯道
４２  湯口
４３  溝部
４４  ガイド部
４４ａ  軸部ガイド部
４５  スリット部
４６  内壁面
４７  凹溝
４８  上顎部
４８ａ  隆起部
４９  有床義歯
４９ａ  義歯床
【図１】
0004116783.tif 000002
【図２】
0004116783.tif 000003
【図３】
0004116783.tif 000004
【図４】
0004116783.tif 000005
【図５】
0004116783.tif 000006
【図６】
0004116783.tif 000007
【図７】
0004116783.tif 000008
【図８】
0004116783.tif 000009
【図９】
0004116783.tif 000010
【図１０】
0004116783.tif 000011
【図１１】
0004116783.tif 000012
【図１２】
0004116783.tif 000013
【図１３】
0004116783.tif 000014